(57)【要約】      （修正有）【課題】信号伝送品質が改善できる電気コネクタを提供する。【解決手段】絶縁ハウジングと、複数の導電端子２とを含み、前記複数の導電端子は、第一接地端子と第一ペアの差動信号端子２１１とを含み、前記第一ペアの差動信号端子は、第一信号端子２１１１と、前記第一信号端子と第一接地端子２１３との間に配置される第二信号端子２１１２とを構成され、前記第一接地端子と第一ペアの差動信号端子との連接部は一列に並設され、前記第一接地端子と第一ペアの差動信号端子との半田部は、一列に並設され、前記第一信号端子と第二信号端子の連接部の幅は、第一接地端子の連接部の幅より小さく、前記第二信号端子の連接部と第一接地端子の連接部との間に第一距離Ｄ１が間隔され、前記第二信号端子の半田部と第一接地端子の半田部との間に第二距離Ｄ２が間隔され、前記第一距離は前記第二距離より小さくなる。【選択図】図５
0003159816.tif 000002
【実用新案登録請求の範囲】
【請求項１】
相手コネクタが挿入される挿入空間を有する絶縁ハウジングと、
前記絶縁ハウジングに装着される複数の導電端子と、
を含む電気コネクタにおいて、
各導電端子は、前記挿入空間に突出する接触部と、前記絶縁ハウジングから突出する半田部と、前記接触部と半田部とを連接する連接部とをそれぞれ備え、
前記複数の導電端子は、第一接地端子と第一ペアの差動信号端子とを含み、
前記第一ペアの差動信号端子は、第一信号端子と、前記第一信号端子と第一接地端子との間に配置される第二信号端子とを構成し、
前記第一接地端子と第一ペアの差動信号端子との連接部は一列に並設され、前記第一接地端子と第一ペアの差動信号端子との半田部は、一列に並設され、
前記第一信号端子と第二信号端子の連接部の幅は、第一接地端子の連接部の幅より小さく、
前記第二信号端子の連接部と第一接地端子の連接部との間隔を第一距離とし、前記第二信号端子の半田部と第一接地端子の半田部との間隔を第二距離とし、前記第一距離は前記第二距離より小さいことを特徴とする電気コネクタ。
【請求項２】
前記第一ペアの各差動信号端子の連接部の間の距離は、第一ペアの各差動信号端子の半田部の間の距離より小さいことを特徴とする請求項１に記載の電気コネクタ。
【請求項３】
前記第一ペアの各差動信号端子の半田部の間の距離は、前記第一接地端子と第二信号端子との半田部の間の距離より小さいことを特徴とする請求項１に記載の電気コネクタ。
【請求項４】
前記第一接地端子の半田部は、前記第一接地端子の連接部の中部から下向きに延出し、第一接地端子の半田部の幅が前記第一接地端子の連接部の幅より小さいことを特徴とする請求項１に記載の電気コネクタ。
【請求項５】
前記複数の導電端子は、第二ペアの差動信号端子を含み、第二ペアの差動信号端子は、第三信号端子と第四信号端子とを含み、前記第一接地端子が前記第二信号端子と第三信号端子との間に配置され、前記第一ペアの差動信号端子と第二ペアの差動信号端子とは、第一接地端子を中心として対称に配置されることを特徴とする請求項1に記載の電気コネクタ。
【請求項６】
前記第一ペアの差動信号端子と第二ペアの差動信号端子との半田部は、対応した連接部の一側縁から延出するように配置され、
各ペアの差動信号端子の半田部の間の距離は、対応した連接部の間の距離より大きいことを特徴とする請求項５に記載の電気コネクタ。
【請求項７】
前記複数の導電端子は、第一端子組と第二端子組とを含み、前記第一端子組は、第一接地端子と、第一ペアの差動信号端子と、第二ペアの差動信号端子とを含み、前記第二端子組は、第二接地端子と、第三ペアの差動信号端子と、パワー端子とを含み、
前記第一端子組と第二端子組とはＵＳＢ３．０規格標準に適合し、第二端子組はＵＳＢ２．０規格標準に適合していることを特徴とする請求項１に記載の電気コネクタ。
【請求項８】
前記挿入空間は、第一挿入空間と、前記第一挿入空間と連通して第一挿入空間より大きい第二挿入空間とを含み、前記絶縁ハウジングは前記第一挿入空間と第二挿入空間とにそれぞれ突出する第一舌片と第二舌片とが設けられ、前記第一舌片と第二舌片とは平行に配置され、第一舌片の厚さは第二舌片の厚さより薄く、前記第一端子組は前記第一舌片の第二舌片と対向する表面に配置され、前記第二端子組は前記第二舌片の上下表面にそれぞれ配置されることを特徴とする請求項７に記載の電気コネクタ。
【考案の詳細な説明】
【技術分野】
【０００１】
本考案は、電気コネクタに関し、特に、相手コネクタと回路基板上の回路とを導電接続するための電気コネクタに関する。
【背景技術】
【０００２】
従来技術の電気コネクタは、特許文献１に示されるように、絶縁ハウジングと、前記絶縁ハウジングに装着された複数の導電端子と、全体を囲むシールドシェルとを含み、前記絶縁ハウジングと前記シールドシェルとによって、相手コネクタを挿入する挿入空間が形成される。絶縁本体は、基部と基部から前記挿入空間へ突出する舌片とを含み、前記複数の導電端子は、ペアの差動信号端子と接地端子とを含み、各導電端子は舌片に露出する接触部と、前記絶縁本体に延出して回路基板に接続する半田部とを含み、電気コネクタが回路基板に実装されることによって、各半田部が回路基板の導電パッドに電気的に接続している。
【先行技術文献】
【特許文献】
【０００３】
【特許文献１】中国実用新案公告第201097426Ｙ号明細書
【考案の概要】
【考案が解決しようとする課題】
【０００４】
しかしながら、電気コネクタの小型化の発展に従って、電気コネクタの体積が小型になり、導電端子同士の間隔が小さくなった。また、電気コネクタの高速伝送に従って、導電端子同士の間にクロストークを生じ易くなり、従来の電気コネクタにおいては複数の導電端子半田部同士の間の距離が同じなので、クロストークを低減することができず、信号伝送の品質に影響を及ぼす問題があった。そこで新な電気コネクタを開発することが必要である。
【０００５】
本考案は上記問題点を解消するためになされたものであり、信号伝送品質を改善する電気コネクタを提供することを目的とする。
【課題を解決するための手段】
【０００６】
前記課題を解決するために、本考案は、
相手コネクタが挿入される挿入空間を有する絶縁ハウジングと、
前記絶縁ハウジングに装着される複数の導電端子と、
を含む電気コネクタにおいて、
各導電端子は、前記挿入空間に突出する接触部と、前記絶縁ハウジングに突出する半田部と、前記接触部と半田部とを連接する連接部とをそれぞれ備え、
前記複数の導電端子は、第一接地端子と第一ペアの差動信号端子とを含み、
前記第一ペアの差動信号端子は、第一信号端子と、前記第一信号端子と第一接地端子との間に配置される第二信号端子とを構成され、
前記第一接地端子と第一ペアの差動信号端子との連接部は一列に並設され、前記第一接地端子と第一ペアの差動信号端子との半田部は、一列に並設され、
前記第一信号端子と第二信号端子の連接部の幅は、第一接地端子の連接部の幅より小さく、
前記第二信号端子の連接部と第一接地端子の連接部との間に第一距離が間隔され、前記第二信号端子の半田部と第一接地端子の半田部との間に第二距離が間隔され、前記第一距離は前記第二距離より小さくなることを特徴とする電気コネクタである。
【考案の効果】
【０００７】
本考案の電気コネクタは、前記第二信号端子の連接部と第一接地端子の連接部との間の第一距離は、前記第二信号端子の半田部と第一接地端子の半田部との間の第二距離よりちいさいので、差動信号端子と接地端子との間の間隔が増加することにより、導電端子の間のクロストークを低減することに有利になり、信号伝送品質が改善できる。
【図面の簡単な説明】
【０００８】
【図１】本考案に係る電気コネクタが回路基板に実装された組立斜視図である。
【図２】本考案に係る電気コネクタの組立斜視図である。
【図３】本考案に係る電気コネクタの分解斜視図である。
【図４】図３に示す電気コネクタのほかの角度から見た分解斜視図である。
【図５】本考案に係る電気コネクタの導電端子の配置の平面図である。
【考案を実施するための形態】
【０００９】
以下、図１〜図５を参照しながら、本考案の電気コネクタ１００の実施形態について説明する。本考案の電気コネクタ１００は、ＵＳＢ３．０規格標準に適合し、回路基板２００に実装され、ＵＳＢ３．０規格標準又はＵＳＢ２．０規格標準による相手コネクタに嵌合することができる。該電気コネクタ１００は、絶縁ハウジング１と、絶縁ハウジング１に装着される複数の導電端子２と、絶縁ハウジング1を被覆する金属シェル３とを含む。
【００１０】
前記絶縁ハウジング１は、第一本体１１と、第二本体１２と、第二本体１２に保持されるベース部材１３とを備え、第二本体１２には、相手コネクタが挿入される挿入空間１４が形成され、該挿入空間１４は、第一挿入空間１４１と、該第一挿入空間１４１の下方で第一挿入空間１４１と連通する第二挿入空間１４２とを備え、第一挿入空間１４１が第二挿入空間１４２より小さい。
【００１１】
第一本体１１は、第二本体１２に保持される第一基部１５と、第一基部１５から前記第一挿入空間１４１に延出する第一舌片１６とを含む。第二本体１２は、第二基部17と、前記第二挿入空間1４２へ延出する第二舌片１８とを含み、前記第一舌片１６と第二舌片１８とは平行に配置され、第一舌片１６の厚さは第二舌片１８の厚さより薄い。第二基部１７には、前記第一基部１５を保持する保持溝１７１と、相手コネクタの挿入方向にそって第二基部１７を貫通する四つの収容溝１７２とが設けられる。第二舌片１８の上下表面には前記収容溝１７２に連通する受入溝１８３が形成され、前記第一舌片１６の下表面は、前記第二舌片１８に対向する取付面１６２である。
【００１２】
前記複数の導電端子２は、第一端子組２１と第二端子組２２とを含み、第二端子組２２がＵＳＢ２．０規格標準に適合し、前記第一端子組２１と第二端子組２２とはＵＳＢ３．０規格標準に適合している。各導電端子は、相手コネクタに接触するための接触部２３と、接触部２３に連接する固定部２４と、固定部２４から折曲って延出する連接部２５と、連接部２５から延出して回路基板に接続する半田部２６とを含む。第一端子組２１の全ての接触部２３は、第一舌片１６の取付面に配置され、全ての固定部２４は同一面に位置し、全ての連接部２５と半田部２６とは同一面に位置する。
【００１３】
前記第一端子組２１は、五本あり、第一ペアの差動信号端子２１１と、第二ペアの差動信号端子２１２と、第一接地端子２１３とを含む。第一ペアの差動信号端子２１１は第一信号端子２１１１と第二信号端子２１１２とを構成し、第二ペアの差動信号端子２１２は第三信号端子２１２１と第四信号端子２１２２とを構成する。第一端子組２１の第一舌片１６に配置される順序は、第一舌片１６の幅の方向において、順に第一信号端子２１１１、第二信号端子２１１２、第一接地端子２１３、第三信号端子２１２１、第四信号端子２１２２である。前記第一信号端子２１１１と第四信号端子２１２２は、第一接地端子２１３を中心として対称に配置され、前記第二信号端子２１１２と第三信号端子２１２１も第一接地端子２１３を中心として対称に配置される。第一信号端子２１１と第二信号端子２１１２との間隔は第三信号端子２１２１と第四信号端子２１２２との間の間隔と等しく、第一接地端子２１３が第二信号端子２１１２と第三信号端子２１２１との中間に配置される。
【００１４】
前記第一接地端子２１３と第一ペアの差動信号端子２１１との連接部は一列に並設され、前記第一接地端子２１３と第一ペアの差動信号端子２１１との半田部も一列に並設される。第一接地端子２１３の固定部２４と連接部２５の幅は、第一ペアの差動信号端子２１１と第二ペアの差動信号端子２１２の固定部と連接部の幅より広い。第一接地端子２１３は、半田部２６の幅が連接部２５の幅より狭くなり、半田部２６が連接部２５の中部から延出して形成される。各ペアの差動信号端子の半田部２６は、対応した連接部２５の一側縁から延出するので、半田部２６の幅は対応した連接部２５の幅より狭い。各ペアの差動信号端子の連接部２５の間の距離は、対応する半田部の間の距離より大きくなる。
【００１５】
第二信号端子２１１２の連接部２５と第一接地端子２１３の連接部２５との間隔は第一距離Ｄ１であり、第二信号端子２１１２の半田部２６と第一接地端子２１３の半田部との間隔は第二距離Ｄ２であり、前記第一距離Ｄ１の幅は第二距離Ｄ２の幅より小さくなるように配置される。これにより、各ペアの差動信号端子２１１のクロストークを好都合に低減でき、各ペアの差動信号端子２１１の伝送品質が改善される。
【００１６】
また、各ペアの差動信号端子の固定部２４を外側へ偏り設けることによって、第二信号端子２１１２と第三信号端子２１２１との間の距離が増加し、これによって、第一接地端子２１３を第二信号端子２１１２と第三信号端子２１２１との間に配置することが便利になっている。
【００１７】
第二端子組２２は、四本あり、固定部２４が第二本体１２の収容溝１７２に保持される。第二端子組２２は、第三ペアの差動信号端子２２１と、第二接地端子２２２とパワー端子２２３とを含み、前記第三ペアの差動信号端子２２１は、第五信号端子２２１１と、第六信号端子２２１２とを含み、前記第五信号端子２２１１とパワー端子２２３とは前記第一舌片１６に対向する第二舌片１８の上表面に配置され、前記第六信号端子２２１２と第二接地端子２２２とが前記第二舌片１８の下表面に配置される。前記第五信号端子２２１１とパワー端子２２３との連接部及び半田部と、前記第六信号端子２２１２と第二接地端子２２２の連接部及び半田部とは、相手コネクタの挿入方向にそって、異なる二つの回路基板に直交した平面にそれぞれ配置される。
【００１８】
前記第一端子組２１は、接触部２３と固定部２４とがインサート成型により第一本体１１に保持され、連接部２５が前記ベース部材１３にインサート成型により保持され、前記固定部２４と連接部２５とには保持孔２４２、２５２がそれぞれ形成され、前記保持孔２４２、２５２がインサート成型の位置決めに有利になっている。
【００１９】
前記金属シェル３は、前記絶縁ハウジング１の外周を包囲し、前記絶縁ハウジング１の挿入空間１４に連通する開口３３０が形成される。また、前記絶縁ハウジング１の後端にはカバー３４が配置され、前記カバー３４と金属シェル３とは互いに係合する弾性片がそれぞれ配置される。
【００２０】
以上、本考案について最良の実施の形態を参照して詳細に説明したが、実施形態はあくまでも例示的なものであり、これらに限定されない。また、本考案に基づきなしうる細部の修正或は変更など、いずれも本考案の請求範囲に属するものとする。
【符号の説明】
【００２１】
１００  電気コネクタ
２００  回路基板
１  絶縁ハウジング
２  導電端子
３  金属シェル
【図１】
0003159816.tif 000003
【図２】
0003159816.tif 000004
【図３】
0003159816.tif 000005
【図４】
0003159816.tif 000006
【図５】
0003159816.tif 000007